(57)【要約】【課題】モニタ１を上方向に移動させることなくモニタ１をモニタ支持台２０から取外すことによりフロントガラスと干渉することのないモニタの着脱機構を提供する。【解決手段】支持台モニタ２０に水平方向に延びる凸部２１ａを設け、モニタ１の下部に前記凸部２ａを挿入可能の溝２ａを設け、モニタの上部にばね１０の弾力に抗して移動可能なフック７ｂを設け、モニタ支持台にモニタを前記凸部２１ａと溝２ａとの嵌合部回りに回動させたときに前記ばね１０の弾力に抗して移動させたフック７ｂを移動させた後フック７ｂに係止される係止部２１ｂを設けた。【選択図】        図７
2006282124.tif 000002
【特許請求の範囲】
【請求項１】
モニタの下部またはモニタ支持台の一方に水平方向に延びる凸部を設け、モニタの下部またはモニタ支持台の他方に前記凸部を挿入可能の溝を設け、モニタの上部またはモニタ支持台の一方にばねの弾力に抗して移動可能なフック機構を設け、モニタの上部またはモニタ支持台の他方にモニタを前記凸部と溝との嵌合部回りに回動させたときに前記ばねの弾力に抗して前記フック機構を移動させた後フック機構に係止される係止部を設けたことを特徴とするモニタの着脱機構。
【請求項２】
モニタの下部またはモニタ支持台の一方に少なくとも一部に円柱面を有する凸部を設け、モニタの下部またはモニタ支持台の他方に前記凸部の円柱面と面接触し前記凸部を挿入可能の溝を設け、モニタの上部またはモニタ支持台の一方にばねの弾力に抗して移動可能なフック機構を設け、モニタの上部またはモニタ支持台の他方にモニタを前記円柱面回りに回動させたときに前記ばねの弾力に抗して前記フック機構を移動させた後フック機構に係止される係止部を設けたことを特徴とするモニタの着脱機構。
【請求項３】
前記フック機構は互いに逆方向に連動するフック部材とレバー部材とで構成され、前記レバー部材を前記ばねの弾力に抗して移動させることにより前記フック部材と前記係止部との係止が解除されるように構成した請求項１または２のモニタの着脱機構。
【請求項４】
フック部材とレバー部材との夫々に設けたラックが同一のピニオンと噛み合うように構成した請求項３のモニタの着脱機構。
【請求項５】
前記モニタをモニタ支持台から取り外すように回動させるときに前記モニタが前記モニタ支持台の底面より低い位置を通過しなように前記凸部の位置を高くした請求項１から４のいずれかに記載したモニタの着脱機構。
【発明の詳細な説明】
【技術分野】
【０００１】
この発明はモニタの着脱機構に係わり、特に、車載用電子機器に好適なモニタの着脱機構に関する。
【背景技術】
【０００２】
従来、車載用ナビゲーション装置等を車両のダッシュボードに固定されたモニタ支持台に着脱するモニタの着脱機構が用いられている。特開２００２−１６０５８６号公報に提案されたモニタ取り付け装置はモニタの背面に上下方向に延びるスリット穴（凹み）を有する取り付け板を設け、支持台に設けたフックプレートを前記スリット穴に挿入し、前記フックプレートを取り付けた取り付けシャフトのねじと螺合するレバーと前記フックプレートで前記取り付け板を挾持してモニタを支持台に取り付けている。
【特許文献１】特開２００２−１６０５８６号公報、段落００１２、図１
【発明の開示】
【発明が解決しようとする課題】
【０００３】
上記した特開２００２−１６０５８６号公報に記載されたモニタ取付け装置のモニタの着脱機構によると、フックプレートとスリット穴とを上下方向に摺動させてモニタを取外す。このモニタの着脱機構を車両のダッシュボードに固定した場合、車両のフロントガラスが傾斜しているため、モニタの上部とフロントガラスとの間隔を大きくとれないことがある。この場合はモニタがフロントガラスと干渉してモニタを取外しにくくなるという問題があった。
【０００４】
この発明は上記した点に鑑みてなされたものであって、その目的とするところは、モニタを上方向に移動させることなくモニタをモニタ支持台から取外すことが可能なモニタの着脱機構を提供することにある。
【課題を解決するための手段】
【０００５】
この発明のモニタの着脱機構は、モニタの下部またはモニタ支持台の一方に水平方向に延びる凸部を設け、モニタの下部またはモニタ支持台の他方に前記凸部を挿入可能の溝を設け、モニタの上部またはモニタ支持台の一方にばねの弾力に抗して移動可能なフック機構を設け、モニタの上部またはモニタ支持台の他方にモニタを前記凸部と溝との嵌合部回りに回動させたときに前記ばねの弾力に抗して前記フック機構を移動させた後フック機構に係止される係止部を設けたものである。
【０００６】
また、この発明のモニタの着脱機構は、モニタの下部またはモニタ支持台の一方に少なくとも一部に円柱面を有する凸部を設け、モニタの下部またはモニタ支持台の他方に前記凸部の円柱面と面接触し前記凸部を挿入可能の溝を設け、モニタの上部またはモニタ支持台の一方にばねの弾力に抗して移動可能なフック機構を設け、モニタの上部またはモニタ支持台の他方にモニタを前記円柱面回りに回動させたときに前記ばねの弾力に抗して前記フック機構を移動させた後フック機構に係止される係止部を設けたものである。
【０００７】
また、前記各モニタの着脱機構において、前記フック機構が互いに逆方向に連動するフック部材とレバー部材とで構成され、前記レバー部材を前記ばねの弾力に抗して移動させることにより前記フック部材と前記係止部との係止が解除されるように構成したものである。
【０００８】
また、前記モニタの着脱機構において、フック部材とレバー部材との夫々に設けたラックが同一のピニオンと噛み合うように構成したものである。
【０００９】
また、前記各モニタの着脱機構において、前記モニタをモニタ支持台から取り外すように回動させるときに前記モニタが前記モニタ支持台の底面より低い位置を通過しなように前記凸部の位置を高くしたものである。
【発明の効果】
【００１０】
この発明のモニタの着脱機構によれば、モニタをモニタ支持台から外すときに上方向に移動させないので車両のフロントガラスと干渉せず、また、モニタをモニタ支持台から外すときに回動させる回動軸が高い位置に配置されているのでダッシュボードとも干渉しない。
【発明を実施するための最良の形態】
【００１１】
以下この発明を実施するための最良の形態を実施例に即して説明する。
【実施例１】
【００１２】
図１はこの発明の実施例１であるモニタの着脱機構に用いられるモニタを示す正面図、図２は同モニタを示す背面面図、図３は同モニタを示す側面図、図４（ａ）は同モニタのフック機構を一部部材を除いて示す正面図、図４（ｂ）は同フック機構のラック・ピニオン押え板を示す正面図、図５は同モニタの着脱機構に用いられるモニタ支持台を示す正面図、図６は同モニタ支持台を示す側面図、図７は同モニタが同モニタ支持台に装着された状態を示す断面図である。
【００１３】
先ず、図１〜図４および図７を参照してモニタ１の構造を説明する。モニタ１は前面が開放された略箱形のモニタフレーム２に支持されている。すなわち、モニタフレーム２の前面開放部を覆うようにディスプレー３がモニタフレーム２に締着され、モニタフレーム２の背面には後述するフック機構５が取り付けられている。
【００１４】
モニタフレーム２の下部に設けられた操作つまみ４、４…はディスプレー３の下部に設けられた図示していないスイッチを作動させる。モニタフレーム２の裏面下部に設けられた溝２ａは底が円筒面に形成されており、図７に示すモニタ支持台２０の円筒軸２１ａと嵌合して面接触する。
【００１５】
フック機構５を構成するレバー部材６およびフック部材７は図４（ａ）に示すモニタフレーム２のリブ２ｆ、２ｆ…およびモニタフレーム２のボス２ｇ、２ｇ…に丸穴９ａ、９ａ…を挿通するねじで締着される図４（ｂ）に示すラック・ピニオン押え板９にガイドされて上下方向摺動可能に支持されている。なお、レバー部材６およびフック部材７はラック・ピニオン押え板９に設けられたダボ９ｄ、９ｄ…で押えられるので摺動の摩擦抵抗が小さくなる。
【００１６】
レバー部材６に設けられたレバー６ｂは図２および図７に示すようにモニタフレーム２の背面の穴２ｂから突出し、レバー部材６に設けられたばね掛け６ｃ、６ｃはラック・ピニオン押え板９の長穴９ｂ、９ｂから突出する。さらに、レバー部材６に設けられたラック６ａはモニタフレーム２に設けられた軸に回転自在に支持されたピニオン８と噛み合う。
【００１７】
フック部材７に設けられたフック７ｂ、７ｂは図２および図７に示すようにモニタフレーム２の背面の穴２ｃ、２ｃから突出し、フック部材７に設けられたばね掛け７ｃ、７ｃはラック・ピニオン押え板９の長穴９ｃ、９ｃから突出する。
【００１８】
さらに、フック部材７に設けられたラック７ａはピニオン８と噛み合う。ばね掛け６ｃ、６ｃとばね掛け７ｃ、７ｃとの間には図７に示すように引張りコイルばね１０、１０が掛けられる。このようにレバー部材６とフック部材７は互いに逆方向に移動するように連動し、引張りコイルばね１０、１０により互いに近付くように付勢されている。モニタフレーム２に締着されたプリント基板１１にはコネクタ１２が半田付けされ、プリント基板１１は図示していないフラットケーブルでディスプレー３に接続されている。
【００１９】
モニタフレーム２の下部内側に締着されたＺ形状の板ばね１３はモニタフレーム２の穴２ｄから露出している。また、モニタフレーム２の背面には図２および図７で示すように凹み２ｅが設けられている。
【００２０】
次に、図５〜図７を参照してモニタ支持台２０の構造を説明する。支持台フレーム２１は略箱形の形状をしており、その内部にプリント基板２２がカバー２４で覆われた状態で締着されている。プリント基板２２にはコネクタ２３が半田付けされている。また、図６に示すようにコネクタ２６が外部に露出するように支持台フレーム２１固定され、コネクタ２３とコネクタ２６は接続されている。
【００２１】
支持台フレーム２１はその下部に水平左右方向に延びる円筒形状の円筒軸２１ａが一体に形成されている。また、支持台フレーム２１の中央やや下部には前方に突出する断面四角形状の突起２１ｃが形成され、また、略中央部には前方に突出する断面丸形状の突起２１ｄが一体に形成されている。
【００２２】
支持台フレーム２１の上面部には前記したフック７ｂ、７ｂが嵌入する角穴２１ｂ、２１ｂが形成されている。支持台フレーム２１の背面に設けられた溝２１ｅを覆うように支持台フレーム２１に締着された被挾持部材２５には縦長切欠き２５ａが設けられており、この縦長切欠き２５ａに段付き四角板２８の段差部が嵌合する。
【００２３】
支持アーム２７の一端は球面に形成され他端側におねじ２７ａが設けられている。支持アーム２７のおねじ２７ａにナット２９を螺合させ、さらにワッシャ３０を挿通させて支持アーム２７の前記他端に段付き四角板２８の上面が接着または溶接により固着される。ナット２９を締め付けることにより段付き四角板２８とワッシャ３０で被挾持部材２５を挾持させ、支持台フレーム２１に対する支持アーム２７の位置を任意に設定できる。
【００２４】
左支柱３１と右支柱３２を底板３６に締着したベース３５と支持アーム２７の球面部を挟むようにして六角ボルト３３と把手付ナット３４で締め付けることができる。底板３６にはスリットが放射状に設けられており、車両のダッシュボード上面に沿うように変形させて両面テープによりダッシュボード上面に強固に固定できる。
【００２５】
上記構成のモニタの着脱機構の使用方法を説明する。例えば、車載用ナビゲーション装置のモニタに用いる場合はモニタ支持台２０を運転席に向けて両面テープによりダッシュボードに固定する。次に、モニタ１の溝２ａの円筒面がモニタ支持台２０の円筒軸２１ａと当接するようにモニタ１を差し込み円筒軸２１ａ回りに回動するように押し込む。
【００２６】
このときモニタフレーム２１の突起２１ｄがモニタフレーム２の凹み２ｅに入り込みモニタ１がモニタ支持台２０に対して位置決めされる。さらに、フック部材７のフック７ｂの上部傾斜面が支持台フレーム２１の縁に押されフック部材７は引っ張りコイルばね１０の弾力に抗して下動した後、元に戻りフック７ｂが支持台フレーム２１の角穴２１ｂに入り込みモニタ１がモニタ支持台２０に装着された状態となる。この状態でディスプレー３はフラットケーブル、プリント基板１１、コネクタ１２、コネクタ２３、プリント基板２２およびコネクタ２６等を介して本体機器と接続される。
【００２７】
また、この状態では板ばね１３が突起２１ｃに押され溝２ａの円筒面がモニタ支持台２０の円筒軸２１ａに圧接状態となっているので、車両が上下に振動してもモニタ１が飛び上がり溝２ａが円筒軸２１ａに衝突し音を発生することが防止される。
【００２８】
使用状態で、モニタ１の位置・姿勢を調整することができる。すなわち、ナット２９を緩めモニタ１の高さを調整してナット２９を締めてモニタ１の高さを設定し、把手付きナット３４を緩めモニタ１の角度を調整して把手付きナット３４を締めてモニタ１の角度を設定できる。すなわち、モニタ１を運転者の正面に向けることができる。
【００２９】
モニタ１をモニタ支持台２０から外すときは、レバー６ｂを上に押すことによりフック部材７を引っ張りコイルばね１０の弾力に抗して下動させてフック７ｂを支持台フレーム２１の角穴２１ｂから出してロック状態を解除し、モニタ１を円筒軸２１ａ回りに回動させてモニタ１を取り外す。このようにモニタ１を上方向に移動させないのでフロトガラスと干渉することがなく、また、円筒軸２１ａの位置を十分に高くしているのでモニタ１を回動させてもモニタ１がダッシュボードや底板３６と干渉しない。モニタ１を取外して携帯することにより盗難が防止される。
【実施例２】
【００３０】
図８はこの発明の実施例２であるモニタの着脱機構に用いられるモニタ支持台を前側から見た斜視図、図９は同モニタ支持台の部分を後側から見た斜視図、図１０は同モニタの着脱機構におけるモニタ装着状態を示す側面図である。
【００３１】
この例では、モニタ支持台４０がベースプレート４１とベースプレート４１に回動自在に支持されたフック部材４２により構成されている。ベースプレート４１の底面から上方に折曲げ片４１ａ、４１ａが形成されており、ベースプレート４１の上部背面上部に外側に延びる折曲げ片４１ｂ、４１ｂが形成されている。また、ベースプレート４１の前面中央部にはコネクタ２３が取り付けられている。コネクタ２３はベースプレート４１背面に取り付けられたコネクタ４７と接続されている。
【００３２】
フック部材４２はその穴４２ｂ、４２ｂおよび折曲げ片４１ｂ、４１ｂを挿通する軸およびねじりコイルばねにより回動自在に支持され、図８の右下方向から見て反時計方向に付勢されているが、この軸およびねじりコイルばねは図示していない。
【００３３】
図１０に示すモニタ４５は２つの箱形部材を合わせて形成されるモニタフレーム４６とその内部に収納された図示していないディスプレーおよびコネクタ２３と嵌合するコネクタにより構成されている。モニタフレーム４６には折曲げ片４１ａ、４１ａと嵌合する溝４６ａおよびフック部材４２のフック４２ａを突入させる穴４６ｂが形成されている。ベースプレート４１に取り付けられたコネクタ４７はコネクタ２３と接続されており、コネクタ４７に嵌着されるコネクタ４３およびコード４４を介して本体機器に接続される。
【００３４】
上記構成のモニタの着脱機構の使用方法を説明する。例えば、車載用ナビゲーション装置のモニタに用いる場合はベースプレート４１を運転席に向けて両面テープによりダッシュボードに固定する。次に、モニタフレーム４６の溝４６ａがベースプレート４１の折曲げ片４１ａと嵌合するようにモニタ４５矢印Ａ方向に差し込み、モニタ４５をその嵌合部回りに矢印Ｂ方向に回動させる。
【００３５】
このときフック部材４２のフック４２ａの下部傾斜面がモニタフレーム４６の穴４６ｂの縁に押されフック部材４２はばねの弾力に抗して時計方向に回動した後、元に戻りフック４２ａがモニタフレーム４６の穴４６ｂの下縁の内面を係止する。
【００３６】
このようにしてモニタ４５がモニタ支持台４０に装着された状態となる。このときモニタ４５のディスプレーはコネクタ２３、コネクタ４７およびコネクタ４７に嵌着されるコネクタ４３およびコード４４により本体機器と接続される。
【００３７】
モニタ４５をモニタ支持台４０から外すときは、フック部材４２の後端部を押すことによりフック部材４２をねじりコイルばねの弾力に抗して時計方向に回動させてフック４２ａのモニタフレーム４６に対するロック状態を解除し、モニタ４５を嵌合部回りに回動させてモニタ４５を取り外す。
【００３８】
このようにモニタ４５を上方向に移動させないのでフロトガラスと干渉することがなく、また、折曲げ片４１ａ、４１ａの嵌合部すなわち上端の位置を十分に高くしているのでモニタ４５を回動させてもモニタ４５がダッシュボードと干渉しない。
【００３９】
実施例は以上のように構成されているが発明はこれに限られず、例えば、モニタ側に凸部を設け、この凸部と嵌合する溝をモニタ支持台支持台側にもうけてもよい。また、フック部材とレバー部材をピニオンを介して逆方向に連動させる代わりにレバーを介して逆方向に連動させてもよい。
【図面の簡単な説明】
【００４０】
【図１】この発明の実施例１であるモニタの着脱機構に用いられるモニタを示す正面図である。
【図２】同モニタを示す背面面図である。
【図３】同モニタを示す側面図である。
【図４】図４（ａ）は同モニタのフック機構を一部部材を除いて示す正面図である。図４（ｂ）は同フック機構のラック・ピニオン押え板を示す正面図である。
【図５】同モニタの着脱機構に用いられるモニタ支持台を示す正面図である。
【図６】同モニタ支持台を示す側面図である。
【図７】同モニタが同モニタ支持台に装着された状態を示す断面図である。
【図８】この発明の実施例２であるモニタの着脱機構に用いられるモニタ支持台を前側から見た斜視図である。
【図９】同モニタ支持台の部分を後側から見た斜視図である。
【図１０】同モニタの着脱機構におけるモニタ装着状態を示す側面図である。
【符号の説明】
【００４１】
１  モニタ
２  モニタフレーム、２ａ  溝、２ｂ、２ｃ、２ｄ  穴、２ｅ  凹み、２ｆ  リブ
２ｇ  ボス
３  ディスプレー
４  操作つまみ
５  フック機構
６  レバー部材、６ａ  ラック、６ｂ  レバー、６ｃ  ばね掛け
７  フック部材、７ａ  ラック、７ｂ  フック、７ｃ  ばね掛け
８  ピニオン
９  ラック・ピニオン押え板、９ａ  丸穴、９ｂ、９ｃ  長穴、９ｄ  ダボ
１０  引張りコイルばね
１１  プリント基板
１２  コネクタ
１３  板ばね
２０  モニタ支持台
２１  支持台フレーム、２１ａ  円筒軸、２１ｂ  角穴、２１ｃ、２１ｄ  突起
２１ｅ  溝
２２  プリント基板
２３  コネクタ
２４  カバー
２５  被挾持板、２５ａ  縦長切欠き
２６  コネクタ
２７  支持アーム、２７ａ  おねじ
２８  段付き四角板
２９  ナット
３０  ワッシャ
３１  左支柱
３２  右支柱
３３  六角ボルト
３４  把手付ナット
３５  ベース
３６  底板
４０  モニタ支持台
４１  ベースプレート、４１ａ、４１ｂ  折曲げ片
４２  フック部材、４２ａ  フック、４２ｂ  穴
４３  コネクタ
４４  コード
４５  モニタ
４６  モニタフレーム、４６ａ  溝、４６ｂ  穴
４７  コネクタ
【図１】
2006282124.tif 000003
【図２】
2006282124.tif 000004
【図３】
2006282124.tif 000005
【図４】
2006282124.tif 000006
【図５】
2006282124.tif 000007
【図６】
2006282124.tif 000008
【図７】
2006282124.tif 000009
【図８】
2006282124.tif 000010
【図９】
2006282124.tif 000011
【図１０】
2006282124.tif 000012